【手続補正書】
【提出日】令和1年8月8日(2019.8.8)
【手続補正１】
【補正対象書類名】明細書
【補正対象項目名】００７０
【補正方法】変更
【補正の内容】
【００７０】
したがって、本発明の実施形態が開示される。本発明は、開示された特定の実施形態を参照して説明されたが、開示された実施形態は、限定ではなく例示の目的で提示され、本発明の他の実施形態も可能である。当業者であれば、本発明の趣旨から逸脱することなく、様々な変更、適合、および矯正を行うことができることを理解するであろう。
［構成１］
外反母趾変形を矯正する方法であって、
第１中足骨に力を加えることによって、第１中足骨を、第２中足骨に対し解剖学的に整列していない位置から前記第２中足骨に対し解剖学的に整列された位置に動かすステップであって、前記力は、第１中足骨を動かして２つ以上の平面での整列を矯正する、動かすステップと、
前記第１中足骨を解剖学的に整列された位置に移動させた後、前記第１中足骨の端部を調整し、癒合のために内側楔状骨の対向する端部を調整するステップとを含む、方法。
［構成２］
前記２つ以上の平面が、前額面、横断面、および矢状面のうちのいずれか２つ以上を含む、構成１に記載の方法。
［構成３］
前記第１中足骨が前記前額面内で回転する、構成１または２のいずれか１項に記載の方法。
［構成４］
前記第１中足骨を動かす前に、軟組織または妨げとなる骨を解放することによって足根骨中足骨関節部位を動かすステップをさらに含む、構成１〜３のいずれか１項に記載の方法。
［構成５］
前記力が骨位置付け装置の骨係合部材によって加えられる、構成１〜４のいずれか１項に記載の方法。
［構成６］
前記調整するステップが、組織除去器具をガイドの第１ガイド面に並置するステップを含む、構成１〜５のいずれか１項に記載の方法。
［構成７］
前記内側楔状骨の前記調整された端部を前記第１中足骨の前記調整された端部と並置するステップをさらに含む、構成１〜６のいずれか１項に記載の方法。
［構成８］
前記内側楔状骨と前記第１中足骨の前記併置して調整された端部の間の関節を横切って、または貫通して、少なくとも１つの骨固定デバイスを適用することにより、前記第１中足骨に対し前記内側楔状骨の位置を固定するステップをさらに含む、構成１〜７のいずれか１項に記載の方法。
［構成９］
外反母趾変形を矯正する方法であって、
軟組織または妨げとなる骨を解放することにより、足根骨中足骨関節部位を動かすステップと、
第１中足骨に係合する骨係合部材と、前記第１中足骨以外の中足骨に接触する先端部とを有する骨位置付けガイドを使って、前記第１中足骨に力を加えることによって、前記第１中足骨を、第２中足骨に対し解剖学的に整列していない位置から前記第２中足骨に対し解剖学的に整列された位置に動かすステップであって、前記力は、前記第１中足骨を動かして、前額面の軸回りを含む２つ以上の平面での整列を矯正する、動かすステップと、
癒合のために前記第１中足骨の端部を調整するステップと、
癒合のために内側楔状骨の対向する端部を調整するステップと、
前記内側楔状骨と前記第１中足骨の前記併置して調整された端部の間の関節を仮に固定するステップと、
前記内側楔状骨と前記第１中足骨の前記併置して調整された端部の間の前記関節を横切って、または貫通して、少なくとも１つの骨固定デバイスを適用することにより、前記第１中足骨に対し前記内側楔状骨の位置を固定するステップとを含む、方法。
［構成１０］
前記第１中足骨の前記端部は、前記第１中足骨が前記解剖学的に整列された位置に動かされる前に調整され、前記内側楔状骨の前記端部は、前記第１中足骨が前記解剖学的に整列された位置に動かされた後に調整される、構成９に記載の方法。
［構成１１］
前記第１中足骨の前記端部は、前記第１中足骨が前記解剖学的に整列された位置に動かされた後に調整され、前記内側楔状骨の前記端部は、前記第１中足骨が前記解剖学的に整列された位置に動かされた後に調整される、構成９または１０に記載の方法。
［構成１２］
前記第１中足骨の前記端部は、前記第１中足骨が前記解剖学的に整列された位置に動かされる前に調整され、前記内側楔状骨の前記端部は、前記第１中足骨が前記解剖学的に整列された位置に動かされる前に調整される、構成９〜１１のいずれか１項に記載の方法。
［構成１３］
前記第１中足骨の前記端部は、前記第１中足骨が前記解剖学的に整列された位置に動かされた後に調整され、前記内側楔状骨の前記端部は、前記第１中足骨が前記解剖学的に整列された位置に動かされる前に調整される、構成９〜１２のいずれか１項に記載の方法。
［構成１４］
前記第１中足骨を動かす前に、前記第１中足骨と前記第２中足骨との間に支持台を挿入することをさらに含み、
前記第１中足骨を前記解剖学的に整列していない位置から前記解剖学的に整列された位置に移動させることは、前記第１中足骨を前記前額面内で回転させることと、前記第１中足骨を前記支持台の周りに横断面内で旋回させることとを含む、構成９〜１３のいずれか１項に記載の方法。
［構成１５］
骨係合部材と、
先端部と、
前記骨係合部材および前記先端部を互いに向って付勢する機構と、
前記機構を作動させるアクチュエータであって、前記機構を作動させることにより、前記骨係合部材と係合した第１の骨を移動させて、前額面の軸回りを含む、前記先端部と接触する第２の骨に対して２つ以上の平面内で前記第１の骨の整列を矯正する、アクチュエータとを含む、骨位置付けガイド。
［構成１６］
前記機構は、本体と、前記本体の第１端部に近接して前記本体に移動可能に接続されたシャフトとを含み、
前記骨係合部材は、前記シャフトに回転可能に連結され、前記先端部は、前記第１端部とは反対側の前記本体の第２端部にある、構成１５に記載の骨位置付けガイド。
［構成１７］
前記先端部がテクスチャ加工された表面を含む、構成１５または１６に記載の骨位置付けガイド。
［構成１８］
前記先端部が先細になっている、構成１５〜１７のいずれか１項に記載の骨位置付けガイド。
［構成１９］
前記アクチュエータが、前記シャフトに結合されたノブである、構成１５〜１８のいずれか１項に記載の骨位置付けガイド。
［構成２０］
前記シャフトが螺刻されている、構成１５〜１９のいずれか１項に記載の骨位置付けガイド。
［構成２１］
前記シャフトが挿管を含む、構成１５〜２０のいずれか１項に記載の骨位置付けガイド。
［構成２２］
前記先端部が、挿入の深さを制限するストッパをさらに含む、構成１５〜２１のいずれか１項に記載の骨位置付けガイド。
［構成２３］
前記先端部が非直線である、構成１５〜２２のいずれか１項に記載の骨位置付けガイド。
［構成２４］
前記骨係合部材が表面を有し、前記表面が前記骨に係合するように構成され、凹形状である、構成１５〜２３のいずれか１項に記載の骨位置付けガイド。
［構成２５］
前記骨係合部材は、人間の足の第１中足骨の内側稜と係合するように構成される、構成１５〜２４のいずれか１項に記載の骨位置付けガイド。
［構成２６］
前記骨位置付けガイドは、放射線透過性材料で組み立てられる、構成１５〜２５のいずれか１項に記載の骨位置付けガイド。
［構成２７］
第１調整面を画定する第１ガイド面および第２調整面を画定する第２ガイド面であって、第１および第２ガイド面は互いにある距離で離間している、第１ガイド面および第２ガイド面と、前記第１ガイド面および前記第２ガイド面の間に配置された開口部とを有する本体と、
前記本体から第１の方向に延在する第１端部および前記本体から第２の方向に延在する第２端部であって、前記第２の方向は前記第１の方向とは異なり、第１端部および第２端部の各々は、固定ピンを受け入れるように構成された固定開口部を含むようにしてなる、第１端部および第２端部とを含む、骨調整ガイド。
［構成２８］
前記本体から延在し、２つの対向する骨の間の関節腔内に配置されるように構成されたスペーサをさらに含む、構成２７に記載の骨調整ガイド。
［構成２９］
前記スペーサは、前記本体と選択的に係合可能である、構成２８に記載の骨調整ガイド。
［構成３０］
前記スペーサと前記本体とが互いに対して回転可能である、構成２８または２９に記載の骨調整ガイド。
［構成３１］
前記本体と係合可能であり、第１の骨および／または第２の骨まで延在するように構成された組織除去器具位置チェック部材をさらに含む、構成２７〜３０のいずれか１項に記載の骨調整ガイド。
［構成３２］
前記第１端部または前記第２端部と係合する調整可能な安定化部材をさらに含む、構成２７〜３１のいずれか１項に記載の骨調整ガイド。
［構成３３］
前記調整可能な安定化部材は挿管される、構成３２に記載の骨調整ガイド。
［構成３４］
前記第２平面は、前記第１平面と平行である、構成２７〜３３のいずれか１項に記載の骨調整ガイド。
［構成３５］
前記第１ガイド面から離間して第１調整スロットを画定する第１対向面と、前記第２ガイド面から離間して第２調整スロットを画定する第２対向面とをさらに含む、構成２７〜３４のいずれか１項に記載の骨調整ガイド。
【手続補正２】
【補正対象書類名】特許請求の範囲
【補正対象項目名】全文
【補正方法】変更
【補正の内容】
【特許請求の範囲】
【請求項１】
第１調整面を画定する第１ガイド面および第２調整面を画定する第２ガイド面であって、第１および第２ガイド面は互いにある距離で離間している、第１ガイド面および第２ガイド面と、前記第１ガイド面および前記第２ガイド面の間に配置された開口部とを有する本体と、
前記本体から第１の方向に延在する第１端部および前記本体から第２の方向に延在する第２端部であって、前記第２の方向は前記第１の方向とは異なり、第１端部および第２端部の各々は、固定ピンを受け入れるように構成された固定開口部を含むようにしてなる、第１端部および第２端部とを含む、骨調整ガイド。
【請求項２】
前記本体から延在し、２つの対向する骨の間の関節腔内に配置されるように構成されたスペーサをさらに含む、請求項１に記載の骨調整ガイド。
【請求項３】
前記スペーサは、前記本体と選択的に係合可能である、請求項２に記載の骨調整ガイド。
【請求項４】
前記スペーサと前記本体とが互いに対して回転可能である、請求項２または３に記載の骨調整ガイド。
【請求項５】
前記本体と係合可能であり、第１の骨および／または第２の骨まで延在するように構成された組織除去器具位置チェック部材をさらに含む、請求項１〜４のいずれか１項に記載の骨調整ガイド。
【請求項６】
前記第１端部または前記第２端部と係合する調整可能な安定化部材をさらに含む、請求項１〜５のいずれか１項に記載の骨調整ガイド。
【請求項７】
前記調整可能な安定化部材は挿管される、請求項６２に記載の骨調整ガイド。
【請求項８】
前記第２平面は、前記第１平面と平行である、請求項１〜７のいずれか１項に記載の骨調整ガイド。
【請求項９】
前記第１ガイド面から離間して第１調整スロットを画定する第１対向面と、前記第２ガイド面から離間して第２調整スロットを画定する第２対向面とをさらに含む、請求項１〜８のいずれか１項に記載の骨調整ガイド。